(57)【特許請求の範囲】
【請求項１】
記録媒体と当接して該記録媒体の搬送方向と交差する方向の位置を規制する突き当て部材であって、前記記録媒体が当接する側の反対側に設けられる第１の突き当て部と、該第１の突き当て部と同じ側に設けられ前記第１の突き当て部よりも前記搬送方向の下流側に位置する第２の突き当て部と、を含む突き当て部材と、
前記突き当て部材によって位置が規制された前記記録媒体を前記搬送方向に搬送する搬送部と、
前記搬送部によって搬送される前記記録媒体に画像を記録する記録部と、
前記搬送部に対して前記搬送方向と交差する方向に移動可能に取り付けられ、前記搬送方向と交差する方向において、前記第１の突き当て部の位置を調整するために、前記第１の突き当て部と当接する第１の先端を備える第１の調整部と、
前記搬送部に対して前記搬送方向と交差する方向に移動可能に取り付けられ、前記搬送方向と交差する方向において、前記第２の突き当て部の位置を調整するために、前記第２の突き当て部と当接する第２の先端を備える第２の調整部と、
前記第１の先端に前記第１の突き当て部を当接させ、かつ前記第２の先端に前記第２の突き当て部を当接させるように、前記突き当て部材を付勢する付勢手段と、
を有し、
前記第１の調整部と前記第２の調整部とにより、前記突き当て部材の前記搬送方向と交差する方向の位置、および前記搬送方向に対する前記突き当て部材の傾きを調整可能であることを特徴とする記録装置。
【請求項２】
前記第１の先端の位置の調整量を報知する第１の報知部と、
前記第２の先端の位置の調整量を報知する第２の報知部と、
をさらに備えることを特徴とする請求項１に記載の記録装置。
【請求項３】
前記第１の調整部は、前記第１の先端の位置を調整する第１の調整ねじを含み、
前記第２の調整部は、前記第２の先端の位置を調整する第２の調整ねじを含む、
ことを特徴とする請求項１または２に記載の記録装置。
【請求項４】
前記第１の先端は、前記搬送部の第１の定位置にねじ付けられた前記第１の調整ねじの先端部であり、
前記第２の先端は、前記搬送部の第２の定位置にねじ付けられた前記第１の調整ねじの先端部であることを特徴とする請求項３に記載の記録装置。
【請求項５】
前記第１の突き当て部および前記第２の突き当て部のいずれか一方は、回動可能であることを特徴とする請求項１乃至４のいずれか１項に記載の記録装置。
【請求項６】
前記記録媒体の前記搬送方向と交差する方向の端部を前記突き当て部材に突き当てるように、前記記録媒体を搬送する斜送ローラを有することを特徴とする請求項１から５のいずれか１項に記載の記録装置。
【請求項７】
前記搬送部は搬送ベルトを含むことを特徴とする請求項１から６のいずれか１項に記載の記録装置。
【発明の詳細な説明】
【技術分野】
【０００１】
本発明は、位置決めして搬送される記録媒体に対して、画像を記録する記録装置に関するものである。
【背景技術】
【０００２】
特許文献１には、連続的に搬送される記録媒体に対して、ノズルからインクを吐出可能な記録ヘッドを用いて画像を記録する所謂ライン型のインクジェット記録装置において、記録媒体の搬送位置のずれに起因する記録位置のずれを補正する構成が記載されている。具体的には、記録媒体の搬送位置のずれに応じて、インクを吐出するノズルの位置を補正する構成が記載されている。
【先行技術文献】
【特許文献】
【０００３】
【特許文献１】特開２０１２−１６８９４号公報
【発明の概要】
【発明が解決しようとする課題】
【０００４】
しかしながら、特許文献１のようにインクを吐出するノズルの位置を補正する場合には、記録媒体の搬送位置のずれを考慮して、必要以上の数のノズルを確保しておかなければならず、記録ヘッドの大型化を招くおそれがある。記録媒体の搬送位置を規制するために、一般には、定位置に固定された突き当て板に記録媒体の端部を突き当てる構成が採用されている。しかし、このような突き当て板は、それを含む記録装置の構成部品の寸法精度のバラツキ、および、それらの組み立て精度のバラツキなどのために、適正な位置に固定できなくなるおそれがある。そのため、特許文献１のように、記録媒体の搬送位置のずれに起因する記録位置のずれを補正するための対策を講じる必要がある。
【０００５】
本発明の目的は、記録媒体の搬送位置のずれの発生を直接的に抑制することができる記録装置を提供することにある。
【課題を解決するための手段】
【０００６】
本発明の記録装置は、記録媒体と当接して該記録媒体の搬送方向と交差する方向の位置を規制する突き当て部材であって、前記記録媒体が当接する側の反対側に設けられる第１の突き当て部と、該第１の突き当て部と同じ側に設けられ前記第１の突き当て部よりも前記搬送方向の下流側に位置する第２の突き当て部と、を含む突き当て部材と、前記突き当て部材によって位置が規制された前記記録媒体を前記搬送方向に搬送する搬送部と、前記搬送部によって搬送される前記記録媒体に画像を記録する記録部と、前記搬送部に対して前記搬送方向と交差する方向に移動可能に取り付けられ、前記搬送方向と交差する方向において、前記第１の突き当て部の位置を調整するために、前記第１の突き当て部と当接する第１の先端を備える第１の調整部と、前記搬送部に対して前記搬送方向と交差する方向に移動可能に取り付けられ、前記搬送方向と交差する方向において、前記第２の突き当て部の位置を調整するために、前記第２の突き当て部と当接する第２の先端を備える第２の調整部と、前記第１の先端に前記第１の突き当て部を当接させ、かつ前記第２の先端に前記第２の突き当て部を当接させるように、前記突き当て部材を付勢する付勢手段と、を有し、前記第１の調整部と前記第２の調整部とにより、前記突き当て部材の前記搬送方向と交差する方向の位置、および前記搬送方向に対する前記突き当て部材の傾きを調整可能であることを特徴とする。
【発明の効果】
【０００７】
本発明によれば、突き当て部材の位置を調整することにより、記録媒体の搬送位置のずれの発生を直接的に抑制することができる。
【図面の簡単な説明】
【０００８】
【図１】本発明の実施形態における記録装置の斜視図である。
【図２】図１の記録装置の要部の平面図である。
【図３】図１の記録装置の要部の斜視図である。
【図４】図２における斜走ローラの周辺部の拡大図である。
【図５】図４の矢印Ｖ方向から見た斜走ローラの周辺部の拡大図である。
【図６】図４における調整機構の斜視図である。
【図７】図６における調整機構の分解斜視図である。
【図８】図７における調整機構を異なる方向から見た分解斜視図である。
【図９】図１の記録装置の制御系のブロック図である。
【図１０】用紙の搬送位置調整処理を説明するためのフローチャートである。
【図１１】用紙と調整パターンとの位置関係の説明図である。
【図１２】用紙と記録ヘッドとの位置関係の説明図である。
【図１３】用紙と記録画像との位置関係の説明図である。
【発明を実施するための形態】
【０００９】
以下、添付図面を参照して、本発明の好適な実施形態を詳しく説明する。  
（第１の実施形態）
本実施形態の記録装置は、連続的に搬送される用紙などの記録媒体に対して、インクを吐出可能なインクジェット記録ヘッドを用いて画像を連続的に記録する所謂ライン型のインクジェット記録装置としての適用例である。
【００１０】
本例のインクジェット記録装置１は、図１のように、この記録装置１に画像情報を送るためのパーソナルコンピュータ（ホスト装置）１００に接続される。記録媒体としての用紙Ｐは、後述する搬送部によって矢印Ａの搬送方向に搬送される。記録装置１には、図２のように、記録部を構成する４つの記録ヘッド１０（１０Ｋ，１０Ｃ，１０Ｍ，１０Ｙ）が用紙Ｐの矢印Ａの搬送方向に並んで配置されている。それぞれの記録ヘッド１０は、用紙Ｐの幅方向に延在する長尺な所謂ラインヘッドであり、インクを吐出可能な複数のノズルが矢印Ａの搬送方向と交差（本例の場合は、直交）する方向に配列されることによって、ノズル列が形成されている。それぞれの記録ヘッド１０におけるノズル列の長さは、記録装置１によって記録可能な用紙Ｐの最大幅よりも長い。記録ヘッド１０Ｋ，１０Ｃ，１０Ｍ，１０Ｙからは、それぞれブラック、シアン、マゼンタ、イエローのインクが吐出される。これら４つの記録ヘッド１０は、画像の記録中は固定されており、それらの下方を矢印Ａ方向に連続的に搬送される用紙Ｐに対してインクを吐出することにより、例えば、多数枚の名刺などを高速で作成することができる。
【００１１】
用紙Ｐを矢印Ａ方向に搬送するための搬送部３０は、図２および図３のように、搬送ベルト３１と斜送ローラ３２とを含む。搬送ベルト３１は、プーリ３３Ａ，ベルト３３Ｂ，プーリ３３Ｃによって形成される動力伝達系を介して、搬送モータ３５によって駆動される。斜送ローラ３２に対しては、プーリ３３Ｃに取り付けられるプーリ３３Ｄ，ベルト３３Ｅなどによって形成される動力伝達系を介して、搬送ベルト３１の駆動力が伝達される。この斜送ローラ３２の動力伝達系には不図示のクラッチが備えられており、そのクラッチによって、斜送ローラ３２に対する駆動力が伝達及び遮断される。斜送ローラ３２は、その回動中心Ｏが図２及び図４のように矢印Ａの搬送方向に対して傾斜しており、矢印Ａの搬送方向に対して用紙Ｐを斜めに搬送する。搬送ベルト３１の上方には、その搬送ベルト３１との間にて用紙Ｐを挟む複数のピンチローラ３６が配備されており、斜送ローラ３２の上方には、その斜送ローラ３２との間にて用紙Ｐを挟むピンチローラ３７が配備されている。
【００１２】
ピンチローラ３７は、図４のように外周面が凸状に湾曲しており、両端が支持されたスプリング３８の中間部に回転自在に軸支されている。これによりピンチローラ３７は、図５のようにスプリング３８によって斜送ローラ３２に押し付けられる方向に付勢され、かつスプリング３８の変形を伴って全方向に変位可能に軸支されている。ピンチローラ３７の回動中心は、斜送ローラ３２と同様に矢印Ａの搬送方向に対して傾斜している。搬送ベルト３１には複数の吸引孔３１Ａが形成されており、その吸引孔３１Ａから空気を吸引することにより、搬送ベルト３１上に位置する用紙Ｐを吸着保持したまま、その用紙Ｐを矢印Ａ方向に搬送する。
【００１３】
斜送ローラ３２は、その回動中心Ｏが図２のように矢印Ａの搬送方向に対して傾斜しているため、給紙トレイ３（図１参照）上から１枚ずつピックアップされた用紙Ｐは、突き当て板（突き当て部材）４０に向かうように斜めに搬送される。その用紙Ｐは、その幅方向の端部が突き当て板４０に突き当てられることによって、その突き当て板４０に沿うように位置および姿勢が規制される。したがって、斜送ローラ３２、ピンチローラ３７、および突き当て板４０は、用紙Ｐの位置を規制するための位置規制部として機能する。用紙Ｐは、突き当て板４０によって位置決めされた後、搬送ベルト３１によって矢印Ａ方向に搬送される。搬送ベルト３１によって回転される従動軸３９には、コードホイール２１が設けられており、そのコードホイール２１の回転に応じてエンコーダ２２がパルスを発生する。端部検知センサ２３が用紙Ｐの先端を検知した後、エンコーダ２２が所定数のパルスを出力して、用紙Ｐが記録位置に達したときから、記録ヘッド１０がインクを吐出して画像の記録を開始する。その後、端部検知センサ２３が用紙Ｐの後端を検知した後、エンコーダ２２が所定数のパルスを出力したときに画像の記録を終了し、画像が記録された用紙Ｐは矢印Ａ方向に排出される。
【００１４】
用紙Ｐは、突き当て板４０に突き当たることによって位置決めされるため、突き当て板４０と記録ヘッド１０との位置関係によって、用紙Ｐにおけるインクの着弾位置が影響を受ける。すなわち、記録ヘッド１０に対して、突き当て板４０の位置や角度が適正でなかった場合には、記録ヘッド１０と用紙Ｐとの位置関係がずれて、画像の記録不良が発生するおそれがある。本例の記録装置１は、突き当て板４０の位置を調整するための調整機構５０を備えており、これにより記録ヘッド１０と突き当て板４０の位置関係を調整することができる。
【００１５】
次に、図６から図８に基づいて調整機構（調整部）５０について説明する。
【００１６】
図７のように、長尺な突き当て板４０の一端側の下部にはガイド軸４１が設けられており、そのガイド軸４１は、記録装置１の本体側に形成された長穴５１に回動可能、かつ長穴５１に沿ってスライド自在にガイドされる。長穴５１は、矢印Ａの搬送方向と直交する方向に延在する。突き当て板４０には、ガイド軸４１が貫通し、かつ突き当て板４０と共に回動およびスライドするプレート５２が取り付けられている。図４のように、記録装置１の本体側の定位置Ｐ１１には、プレート５２と対向する第１の調整ねじ５３がねじ付けられている。また、記録装置１の本体側の定位置Ｐ１２には、突き当て板４０の他端側に形成されたプレート部４２と対向する第２の調整ねじ５４がねじ付けられている。突き当て板４０のばね係止部４３と、記録装置１の本体側のばね係止部５５と、の間には、突き当て板４０を矢印Ｂ方向に付勢する調整ばね５６が掛け渡されている。
【００１７】
この調整ばね５６の付勢力により、第１および第２の調整ねじ５３，５４の先端部に、突き当て板４０のプレート５２およびプレート部４２が突き当てられる。したがって、第１の調整ねじ５３を回転させて、それを図６中の矢印Ｃ１方向に移動させることにより、突き当て板４０の一端側（搬送方向の下流側端部）を長穴５１に沿って位置調整することができる。また、第２の調整ねじ５４を回転させて、それを図６中の矢印Ｃ２方向に移動させることにより、ガイド軸４１を中心として突き当て板４０の他端側（搬送方向の上流側端部）を回動させることができる。
【００１８】
第１および第２の調整ねじ５３，５４のそれぞれには、それらの回転位置を係止すると共に、それらの回転量を報知するための報知機構（報知部）６０が備えられている。本例の報知機構６０は、調整ねじ５３，５４を３６度回転させること毎に、操作者に節度感を与えるための節度感付与機構であり、調整ねじ５３，５４が１回転する間に１０回の節度感を与える構成となっている。具体的に、第１の調整ねじ５３側の報知機構６０は、その調整ねじ５３と共に回動する可動部材６１と、記録装置１の本体側に回り止めされる固定部材６２と、それらの可動部材６１に対して固定部材６２を押し付けるばね部材６３と、を含む。可動部材６１と固定部材６２の対向部のそれぞれには、周方向に３６度間隔で位置する１０個の山部６１Ａ，６２Ａが形成されており、これらの山部６１Ａ，６２Ａの係合位置がずれることにより、調整ねじ５３が１回転する間に１０回の節度感が与えられる。したがって、調整ねじ５３を１／１０回転ずつ節度感をもって回転させて、その回転位置において係止することができ、結果的に、調整ねじ５３の回転量を節度感によって知らしめることができる。第２の調整ねじ５４側の報知機構６０も同様に構成されている。報知機構６０の構成は、本例のように節度感によって調整ねじ５３，５４の回転量を知らしめる構成のみに特定されず、例えば、それらの回転量が目視によって確認できるように、それらの回転量を表示する構成であってもよい。
【００１９】
図９は、記録装置１の制御系のブロック図である。
【００２０】
ホスト装置１００から送信された記録データやコマンドは、インターフェースコントローラ２０１を介して記録装置１のＣＰＵ２０２に受信される。ＣＰＵ２０２は、記録装置１における記録データの受信、記録動作、用紙Ｐのハンドリング等、記録装置１における制御の全般を掌る演算処理装置である。ＣＰＵ２０２は、受信したコマンドを解析した後に、記録データに含まれる各色成分のイメージデータをイメージメモリ２０３にビットマップ展開して描画する。ＣＰＵ２０２は、記録動作前に、出力ポート２０４とモータ駆動部２０５を介してキャッピングモータ２０６とヘッドアップダウンモータ２０７を駆動し、記録ヘッド１０をキャッピング機構（図示せず）から離して記録位置（画像形成位置）に移動させる。その後、出力ポート２０４とモータ駆動部２０５を介して用紙Ｐを給紙トレイ３から送り出すための給紙モータ（図示せず）、および用紙Ｐを搬送するための搬送モータ３５等を駆動して、用紙Ｐを記録位置に搬送する。一定速度で搬送される用紙Ｐに対して、記録ヘッド１０からのインクの吐出を開始するタイミング（記録タイミング）を決定するために、端部検知センサ２３によって用紙Ｐの先端を検出する。その後、ＣＰＵ２０２は、用紙Ｐの搬送に同期（エンコーダ２２の出力パルスに同期）して、イメージメモリ２０３から色毎の記録データを順次に読み出し、その記録データを対応する記録ヘッド１０に対して記録ヘッド制御回路２１０を介して転送する。記録ヘッド１０は記録データに応じてインク滴の吐出を行い、そのインク滴を用紙Ｐに付着させることにより、記録を行う。インク滴の吐出は、例えば、記録ヘッド１０のノズル内に設けられた発熱体を用いて、インクを加熱発泡させることにより行う。
【００２１】
ＣＰＵ２０２の動作は、プログラムＲＯＭ２１１に記憶された処理プログラムに基づいて実行される。プログラムＲＯＭ２１１には、後述する制御フローに対応する処理プログラム、およびテーブルなどが記憶されている。ワークＲＡＭ２１２は、作業用のメモリとして使用される。記録ヘッド１０に対するクリーニング等の動作時に、ＣＰＵ２０２は、出力ポート２０４およびモータ駆動部２０５を介してポンプモータ２１３を駆動し、記録ヘッド１０のノズルからインクを吸引排出させる回復処理等を実行させる。
【００２２】
図１０は、突き当て板４０によって、記録ヘッド１０の記録位置に対する用紙Ｐの搬送位置を調整する処理を説明するためのフローチャートである。
【００２３】
まず、現在の調整位置にある突き当て板４０により位置決めされて搬送される用紙Ｐに対して、その搬送位置の調整量を求めるための調整パターンを、プログラムＲＯＭ２１１からイメージメモリ２０３へ展開して、記録ヘッド１０により記録する（ステップＳ１）。本例の調整パターンは、図１１のように、突き当て板４０に突き当てられる端部Ｐ１側における用紙Ｐの搬送方向の下流側寄りの位置と上流側寄りの位置に記録される。搬送方向の下流側寄りの位置には、複数のラインＬｔ（Ｌｔ１からＬｔ５））と、それらのラインＬｔに対応する数字Ｎｔ（−２０，−１０，０，１０，２０）と、搬送方向の下流側寄りの位置であることを現す「ＴＯＰ」の文字が記録される。複数のラインＬｔは、用紙Ｐの搬送方向に延在するラインであり、ラインＬｔ３は他のラインＬｔ１，Ｌｔ２，Ｌｔ４，Ｌｔ５よりも長い。これらのラインＬｔは、記録ヘッド１０のノズル列方向に所定距離ΔＬずつずれて位置し、かつ用紙Ｐの搬送方向に所定距離ずつずれて位置する。ラインＬｔ１，Ｌｔ２は、ラインＬｔ３を基準として図１１（ａ）中の右方に２ΔＬ，ΔＬずれており、数字Ｎｔの「−２０」，「−１０」，「０」は、それぞれラインＬｔ１，Ｌｔ２，Ｌｔ３のずれ量（２ΔＬ，ΔＬ，０）に対応する。また、ラインＬｔ４，Ｌｔ５は、ラインＬｔ３を基準として図１１（ａ）中の左方にΔＬ，２ΔＬずれており、数字Ｎｔの「１０」，「２０」は、それぞれラインＬｔ４，Ｌｔ５のずれ量（ΔＬ，２ΔＬ）に対応する。
【００２４】
同様に、搬送方向の上流側寄りの位置には、複数のラインＬｂ（Ｌｂ１からＬｂ５））と、それらのラインＬｂに対応する数字Ｎｂ（−２０，−１０，０，１０，２０）と、搬送方向の上流側寄りの位置であることを現す「ＢＯＴＴＯＭ」の文字が記録される。複数のラインＬｂは、用紙Ｐの搬送方向に延在するラインであり、ラインＬｂ３は他のラインＬｂ１，Ｌｂ２，Ｌｂ４，Ｌｂ５よりも長い。これらのラインＬｂは、記録ヘッド１０のノズル列方向に所定距離ΔＬずつずれて位置し、かつ用紙Ｐの搬送方向に所定距離ずつずれて位置する。ラインＬｂ１，Ｌｂ２は、ラインＬｂ３を基準として図１１（ａ）中の右方に２ΔＬ，ΔＬずれており、数字Ｎｂの「−２０」，「−１０」，「０」は、それぞれラインＬｂ１，Ｌｂ２，Ｌｂ３のずれ量（２ΔＬ，ΔＬ，０）に対応する。また、ラインＬｂ４，Ｌｂ５は、ラインＬｂ３を基準として図１１（ａ）中の左方にΔＬ，２ΔＬずれており、数字Ｎｂの「１０」，「２０」は、それぞれラインＬｂ４，Ｌｂ５のずれ量（ΔＬ，２ΔＬ）に対応する。
【００２５】
ラインＬｔ１は、用紙Ｐの先端Ｐｔから搬送方向上流側に所定距離Ｓｔだけ離れた位置に記録され、ラインＬｂ５は、用紙Ｐの後端Ｐｂから搬送方向下流側に所定距離Ｓｂだけ離れた位置に記録される。したがって、用紙Ｐの長さが長くなるほど、ラインＬｔとラインＬｂの間の距離は長くなる。
【００２６】
このような調整パターンを記録した後、用紙Ｐの搬送位置のずれに起因する調整パターンの記録位置のずれ量を作業者が取得する（ステップＳ２）。具体的には、後述するように、ラインＬｔ，Ｌｂの中から、用紙Ｐの端部Ｐ１から所定距離Ｂだけ離れた仮想ラインＬ上に位置するラインを選択する。このような選択は、例えば、作業員が仮想ラインＬ上を示す定規、または仮想ラインＬを描いた透明なシートを用いることによって行うことができ、あるいは記録装置１と一体または別体の画像読み取り装置によって自動的に行うこともできる。
【００２７】
前述したように、用紙Ｐは、突き当て板４０によって位置決めされた後、搬送ベルト３１によって矢印Ａ方向に搬送される。そのため、突き当て板４０によって用紙Ｐが正規な位置に位置決めされた場合には、その用紙Ｐは正規な姿勢のまま搬送ベルト３１によって搬送され、結果的に、図１１（ａ）のように、仮想ラインＬ上にラインＬｔ３とラインＬｂ３が記録される。一方、突き当て板４０によって用紙Ｐが斜めに位置決めされた場合には、その用紙Ｐは斜めの姿勢のまま搬送ベルト３１によって搬送されて、調整パターンが用紙Ｐに対して斜めに記録される。その結果、例えば図１１（ｂ）のように、仮想ラインＬ上にラインＬｔ３とラインＬｂ１が記録される。また、突き当て板４０によって用紙Ｐが図１１（ａ）中の左方にずれて位置決めされた場合には、例えば、仮想ラインＬ上にラインＬｔ１とラインＬｂ１が記録される。仮想ラインＬ上にラインＬｔ，Ｌｂが位置しない場合には、例えば、仮想ラインＬに最も近いラインを、仮想ラインＬに位置するラインＬｔ，Ｌｂとする。作業者は、このように選択されたラインＬｔ，Ｌｂをずれ量として取得する。
【００２８】
選択されたラインＬｔ，Ｌｂは、作業者がホスト装置１００に入力することにより、インクジェット記録装置１に送信され、ワークＲＡＭ２１２に記憶される。また、選択されたラインＬｔ，Ｌｂは、前述した画像読取装置から自動的にインクジェット記録装置１へ送信することもできる。
【００２９】
次に、用紙Ｐの搬送位置の調整量を取得する（ステップＳ３）。具体的には、ホスト装置１００からインクジェット記録装置１へ送信された、仮想ラインＬ上に位置するラインＬｔ，Ｌｂの位置と、用紙Ｐの長さと、用紙Ｐの搬送位置の調整量と、を関連付ける演算式またはテーブルを用いて、ＣＰＵ２０２が用紙Ｐの搬送位置の調整量を求める。仮想ラインＬ上に位置するラインＬｔ，Ｌｂの位置は、それらに対応する数字Ｎｔ，Ｎｂと関連付けることができる。例えば、ラインＬｔ，Ｌｂの記録位置情報（距離Ｓｔ，Ｓｂ，ΔＬなどを含む）、仮想ラインＬ上に位置するラインＬｔ，Ｌｂに対応する数字Ｎｔ，Ｎｂ、および用紙Ｐの長さに基づいて、ＣＰＵ２０２が演算式を用いて用紙Ｐの搬送位置の調整量を算出する。あるいは、Ｎｔ，Ｎｂ，および用紙Ｐの長さに基づいて事前に算出した数値から、調整量のテーブルを作成し、このテーブルをプログラムＲＯＭ２１１内に予め格納しておき、ＣＰＵ２０２がこのテーブルから調整量を取得してもよい。
【００３０】
次のステップＳ４においては、ＣＰＵ２０２がステップＳ３にて取得した搬送位置の調整量から、その用紙Ｐの搬送位置の調整が必要であるか否か、つまり突き当て板４０の位置調整が必要であるか否かを判定する。具体的には、搬送位置の調整量が予めプログラムＲＯＭ２１１に記憶された許容範囲内であるか否かを、ＣＰＵ２０２が判定する。
【００３１】
用紙Ｐの搬送位置の調整が必要でない場合には図１０の処理を終了し、それが必要である場合にはステップＳ５に移行する。ステップＳ５では、ステップＳ３にて取得した調整量を、ＣＰＵ２０２がインターフェースコントローラ２０１を介してホスト装置１００に送信し、そのホスト装置１００が表示する。あるいは、インクジェット記録装置１が表示部を備える場合には、その表示部が調整量を表示してもよい。
【００３２】
作業者は、このように表示された調整量に基づいて、突き当て板４０の位置を調整する（ステップＳ６）。用紙Ｐの搬送位置の調整量は、調整機構５０における調整ねじ５３，５４の回転量および回転方向に関連付けられており、作業者は、用紙Ｐの搬送位置の調整量に基づいて調整ねじ５３，５４を回転させる。本例のように、調整ねじ５３，５４の回転量を１／１０回転ずつ調整可能な場合、突き当て板４０の位置の調整量は、調整ねじ５３，５４の１／１０回転の整数倍に対応する。また、用紙Ｐの長さが一定の場合には、仮想ラインＬ上に位置するラインＬｔ，Ｌｂに対応する数字Ｎｔ，Ｎｂを突き当て板４０の位置の調整量とし、その数字Ｎｔ，Ｎｂの符号（＋，−）を突き当て板４０の位置の調整方向とすることができる。
【００３３】
このように、調整ねじ５３，５４を回転させて突き当て板４０の位置を調整した後は、先のステップＳ１に戻り、再度、調整パターンを記録してから、前述した処理を繰り返す。
【００３４】
以上述べた搬送位置の調整は、インクジェット記録装置の製造工程において行う他に、記録ヘッド１０の交換後に行ってもよい。
【００３５】
このように本実施形態においては、突き当て板４０の位置を調整可能としているため、調整パターンの記録結果に基づいて、図１２（ａ）のように突き当て板４０を最適な位置に調整することができる。図１２（ａ）においては、突き当て板４０によって用紙Ｐが正規な位置に位置決めされ、その用紙Ｐは正規な姿勢のまま搬送ベルト３１によって矢印Ａ方向に搬送される。そのため、用紙Ｐの幅に対応する記録ヘッド１０のノズル幅Ｘ１の範囲を用いて、その用紙Ｐに画像を記録することができる。したがって、記録ヘッド１０の全ノズル幅Ｘ０の領域を画像の有効記録範囲として、その全ノズル幅Ｘ０に対応する最大幅の用紙Ｐに対しての記録が可能となる。結果的に、記録ヘッド１０の全ノズル幅Ｘ０は、用紙Ｐの最大幅に対応する長さであればよく、それ以上に記録ヘッド１０を大きくする必要はない。
【００３６】
一方、突き当て板４０を固定的に備えた場合には、突き当て板４０を含む記録装置の構成部品の寸法精度のバラツキ、および、それらの組み立て精度のバラツキなどのために、突き当て板４０を適正な位置に固定できなくなるおそれがある。例えば、図１２（ｂ）のように突き当て板４０が斜めに固定された場合には、突き当て板４０によって用紙Ｐが斜めに位置決めされ、その用紙Ｐは斜めの姿勢のまま搬送ベルト３１によって矢印Ａ方向に搬送される。そのため、用紙Ｐの記録に用いる記録ヘッド１０のノズル幅Ｘ１の範囲が大きくなり、しかもノズル幅Ｘａは使用不可能な範囲となる。したがって、記録ヘッド１０の全ノズル幅Ｘ０の領域の内、画像の有効記録範囲が占める割合が小さくなってしまう。結果的に、記録ヘッド１０の全ノズル幅Ｘ０は、用紙Ｐの最大幅に対応する長さ以上に長くしなければならず、記録ヘッド１０の大型化を招くおそれがある。
【００３７】
前述したように、画像の記録開始のタイミングは、エンコーダ２２が所定数のパルスを出力して、用紙Ｐが記録位置に達したときとする。同様に、画像の記録終了のタイミングは、エンコーダ２２が所定数のパルスを出力して、用紙Ｐが記録位置に達したときとする。したがって、用紙Ｐのサイズのバラツキ、湿度による長さ変化などに拘らず、用紙Ｐの先端Ｐｔから一定距離離れた位置から画像の記録を開始して、用紙Ｐの後端Ｐｂから一定距離離れた位置において画像の記録を終了することができる。この結果、用紙Ｐの先端Ｐｔ側の余白、および後端Ｐｂ側の余白の大きさを確実に設定することができ、それらの余白を可能な限り小さく設定することもできる。
【００３８】
このように、用紙Ｐの先端Ｐｔおよび後端Ｐｂの位置に基づいて、画像の記録開始と記録終了のタイミングを設定する際には、用紙Ｐのサイズのバラツキ、湿度による長さ変化などを考慮して、用紙Ｐに記録すべき画像を予め拡大しておく。例えば、図１３（ａ）のように、用紙Ｐの先端Ｐｔ，後端Ｐｂおよび左右の端部のそれぞれに長さＳ１，Ｓ２，Ｓ３，Ｓ４の余白を残して、画像Ｉを記録する場合には、その画像Ｉを図１３（ｂ）の画像ＩＡのように拡大する。その画像ＩＡの記録開始位置は、用紙Ｐの先端Ｐｔから長さＳ１だけ内側にずれた位置とし、その画像ＩＡの記録終了位置は、用紙Ｐの後端Ｐｂから長さＳ２だけ内側にずれた位置とする。したがって、用紙Ｐの後端Ｐｂ側における画像ＩＡの一部は記録されない。また、画像ＩＡの左右の記録位置は、用紙Ｐの左右の端部から長さＳ３，Ｓ４だけ内側にずれた位置に制限する。したがって、それらの制限された左右の記録位置から外側の画像ＩＡの部分は記録されない。結果的に、図１３（ｃ）のように、長さＳ１，Ｓ２，Ｓ３，Ｓ４の余白を残した記録領域に、その記録領域に対応する画像ＩＡの部分ＩＢが記録される。
【００３９】
図１３の例においては、用紙Ｐのサイズのバラツキ、湿度による長さ変化などを考慮して記録すべき画像を拡大してから、余白の外側に対応する画像の部分をカットする。しかし、必ずしも記録すべき画像を拡大する必要はない。例えば、用紙Ｐのサイズのバラツキや湿度などによって、用紙Ｐが長くなる方向に変化した場合には、図１３の場合と同様に、余白の外側に対応する画像の部分をカットする。一方、用紙Ｐが短くなる方向に変化したために、画像を記録したときに生じる余白が初期の余白よりも大きくなって、初期の大きさの余白を形成するために必要な画像が足らなくなった場合には、その足らなくなった分の画像を作成して加える。その加える画像は、本来の記録すべき画像に対して目立たない画像とする。
【００４０】
（他の実施形態）
突き当て板４０によって幅方向の位置が規制された後の用紙Ｐを搬送するための搬送機構は、搬送ベルト３１を用いる構成のみに限定されず、例えば、搬送ローラを用いる構成であってもよい。また、記録装置１の記録方式は、インクジェット記録ヘッド１０を用いるインクジェット記録方式のみに限定されず、電子写真方式、熱転写方式などであってもよい。また、記録装置１は所謂ライン型の記録装置のみに限定されず、記録ヘッドの主走査方向の記録走査と、記録媒体の搬送動作と、を伴う所謂シリアルスキャン型などであってもよい。
【符号の説明】
【００４１】
１  インクジェット記録装置
１０  記録ヘッド
３１  搬送ベルト
３２  斜送ローラ
４０  突き当て板（突き当て部材）
５０  調整機構（調整部）
５３，５４  調整ねじ
６０  報知機構（報知部）
Ｐ  用紙（記録媒体）
【図１】
0006437245.tif 000002
【図２】
0006437245.tif 000003
【図３】
0006437245.tif 000004
【図４】
0006437245.tif 000005
【図５】
0006437245.tif 000006
【図６】
0006437245.tif 000007
【図７】
0006437245.tif 000008
【図８】
0006437245.tif 000009
【図９】
0006437245.tif 000010
【図１０】
0006437245.tif 000011
【図１１】
0006437245.tif 000012
【図１２】
0006437245.tif 000013
【図１３】
0006437245.tif 000014